(57)【要約】【課題】制御対象となるモータが停止する際のそのモータの停止動作を多様化できるモータ制御装置を提供する。【解決手段】モータ制御装置は、モータ２が停止するときにモータ２に対するブレーキを掛け始めるブレーキ開始タイミング及びブレーキの駆動力を指定する停止制御信号を上位の制御装置から受信する通信部１０と、停止制御信号と、モータ２が所定角度回転する度に回転角センサ４から出力される検知信号とに従ってブレーキ開始タイミングを決定するブレーキタイミング判定部１５と、ブレーキ開始タイミングになると、停止制御信号にて指定された駆動力を持ち、モータ２の回転を停止させる駆動信号を、モータ２を駆動するモータ駆動回路３に出力する駆動信号生成部１４とを有する。【選択図】図１
2020182537.tif 000002
【特許請求の範囲】
【請求項１】
モータを制御するモータ制御装置であって、
前記モータが停止するときに前記モータに対するブレーキを掛け始めるブレーキ開始タイミング及び当該ブレーキの駆動力を指定する停止制御信号を上位の制御装置から受信する通信部と、
前記停止制御信号と、前記モータが所定角度回転する度に回転角センサから出力される検知信号とに従って前記ブレーキ開始タイミングを決定するブレーキタイミング判定部と、
前記ブレーキ開始タイミングになると、前記停止制御信号にて指定された駆動力を持ち、前記モータの回転を停止させる駆動信号を、前記モータを駆動するモータ駆動回路に出力する駆動信号生成部と、
を有するモータ制御装置。
【請求項２】
前記停止制御信号は、前記モータの回転量が所定の目標回転量に達するよりも前から前記モータにブレーキを掛けることを指定する第１の値、または、前記モータの回転量が前記目標回転量に達する度に、前記モータの回転方向を反転させること及び前記駆動力を指定する第２の値の何れかを含み、
前記停止制御信号が前記第１の値を含む場合、前記ブレーキタイミング判定部は、受信した前記検知信号の数に応じた前記モータの回転量と前記目標回転量との差が、前記モータが停止するまでに要する回転量以下になると前記ブレーキ開始タイミングになったと判定し、前記駆動信号生成部は、前記モータの回転速度に応じて前記駆動力を設定し、
前記停止制御信号が前記第２の値を含む場合、前記ブレーキタイミング判定部は、前記モータの回転量が前記目標回転量と一致する度に前記ブレーキ開始タイミングになったと判定し、前記駆動信号生成部は、前記ブレーキ開始タイミングになる度に、前記モータの回転方向と逆向きとなり、かつ、前記停止制御信号で指定された前記駆動力を持つ前記駆動信号を前記モータ駆動回路に出力する、
請求項１に記載のモータ制御装置。
【請求項３】
前記停止制御信号が前記第２の値を含む場合、前記駆動信号生成部は、前記モータの回転量が前記目標回転量と所定回数一致する度に、前記駆動力を低下させる、請求項２に記載のモータ制御装置。
【請求項４】
回胴遊技機であって、遊技機本体と、
前記遊技機本体内に回転可能に配置され、かつ、円周方向に沿って複数の図柄が表示された回転リールと、
前記回転リールを駆動するモータと、
前記モータを駆動するモータ駆動回路と、
前記モータが所定角度だけ回転する度に検知信号を出力する回転角センサと、
前記モータを制御するモータ制御装置と、
前記回胴遊技機を制御する制御装置と、
を有し、
前記制御装置は、遊技の状態に応じて、前記モータが停止するときに前記モータに対するブレーキを掛け始めるブレーキ開始タイミング及び当該ブレーキの駆動力を指定する停止制御信号を前記モータ制御装置へ出力し、
前記モータ制御装置は、
前記停止制御信号を前記制御装置から受信する通信部と、
前記停止制御信号と、前記検知信号とに従って前記ブレーキ開始タイミングを決定するブレーキタイミング判定部と、
前記ブレーキ開始タイミングになると、前記停止制御信号にて指定された駆動力を持ち、前記モータの回転を停止させる駆動信号を、前記モータ駆動回路に出力する駆動信号生成部と、
を有する回胴遊技機。
【発明の詳細な説明】
【技術分野】
【０００１】
本発明は、モータを制御するためのモータ制御装置及びそのようなモータ制御装置を有する回胴遊技機に関する。
【背景技術】
【０００２】
回胴遊技機は、円周方向に沿って複数の図柄が表された複数の回転リール（以下、単にリールと呼ぶことがある）を有する。また回胴遊技機では、各回転リールが回転動作しているときに、遊技者が停止ボタンを押下するといった操作を行うことで対応する回転リールの回転が停止される。その際、各回転リールに表された図柄が一列に並んだ状態で停止するように、押下された停止ボタンに対応する回転リールは、その回転リールに表された複数の図柄の何れかが予め設定された停止位置にて静止するように停止される。そのため、回転リールを駆動するモータを制御するモータ制御装置は、回転リールを目標とする位置に精度良く停止させることが求められる。
【０００３】
また、一定の回転速度にある回転リールが完全に停止するまでの回転リールの停止過程が単調であると、遊技者が直ぐに遊技に飽きてしまうことがある。そこで、複数の図柄を表したリールの駆動源としてのステッピングモータの停止を制御するモータ停止制御装置が提案されている（例えば、特許文献１を参照）。このモータ停止制御装置は、ステッピングモータの回転を所定の減速比をもってリールを回転させる回転軸に伝達する減速機構と、メインＣＰＵとを備える。メインＣＰＵは、ステッピングモータの停止指令が外部からの指示により発生したときは、ステッピングモータに対して全相励磁による停止制御を実行するリール停止制御処理１、または、ステッピングモータの回転速度を減速させる制御を実行してステッピングモータに対して２相励磁による停止制御を実行するリール停止制御処理２の何れか一方を選択する。
【先行技術文献】
【特許文献】
【０００４】
【特許文献１】特開２００５−５２４２０号公報
【発明の概要】
【発明が解決しようとする課題】
【０００５】
しかしながら、上記のモータ停止制御装置では、リールが停止する際、遊技者から見て、リールの回転速度が一旦減速してから停止するか、あるいはそのような減速が行われずに停止するかの違いしかない。そこで、遊技者の遊技に対する興趣を高めるためには、回転リールを駆動するモータの回転が停止する際の動作をより多様化することが求められる。なお、以下では、モータの回転が停止することを、単にモータが停止すると呼ぶことがある。
【０００６】
そこで、本発明は、制御対象となるモータが停止する際のそのモータの停止動作を多様化できるモータ制御装置を提供することを目的とする。
【課題を解決するための手段】
【０００７】
本発明の一つの形態として、モータを制御するモータ制御装置が提供される。このモータ制御装置は、モータが停止するときにモータに対するブレーキを掛け始めるブレーキ開始タイミング及びブレーキの駆動力を指定する停止制御信号を上位の制御装置から受信する通信部と、停止制御信号と、モータが所定角度回転する度に回転角センサから出力される検知信号とに従ってブレーキ開始タイミングを決定するブレーキタイミング判定部と、ブレーキ開始タイミングになると、停止制御信号にて指定された駆動力を持ち、モータの回転を停止させる駆動信号を、モータを駆動するモータ駆動回路に出力する駆動信号生成部とを有する。
【０００８】
係る構成を有することで、このモータ制御装置は、制御対象となるモータが停止する際のそのモータの停止動作を多様化できる。
【０００９】
このモータ制御装置において、停止制御信号は、モータの回転量が所定の目標回転量に達するよりも前からモータにブレーキを掛けることを指定する第１の値、または、モータの回転量が目標回転量に達する度に、モータの回転方向を反転させること及びブレーキの駆動力を指定する第２の値の何れかを含み、停止制御信号が第１の値を含む場合、ブレーキタイミング判定部は、受信した検知信号の数に応じたモータの回転量と目標回転量との差が、モータが停止するまでに要する回転量以下になるとブレーキ開始タイミングになったと判定し、駆動信号生成部は、モータの回転速度に応じてブレーキの駆動力を設定し、停止制御信号が第２の値を含む場合、ブレーキタイミング判定部は、モータの回転量が目標回転量と一致する度にブレーキ開始タイミングになったと判定し、駆動信号生成部は、ブレーキ開始タイミングになる度に、モータの回転方向と逆向きとなり、かつ、停止制御信号で指定された駆動力を持つ駆動信号をモータ駆動回路に出力することが好ましい。
【００１０】
これにより、このモータ制御装置は、モータを、目標回転量の前後で振動を繰り返しながら徐々に停止させるか、あるいは、そのような振動をさせずに停止させるかを切り替えることができる。
【００１１】
この場合において、停止制御信号が第２の値を含む場合、駆動信号生成部は、モータの回転量が目標回転量と所定回数一致する度に、駆動力を低下させることが好ましい。
【００１２】
これにより、このモータ制御装置は、モータを振動させながら停止させる際に、モータにより駆動される負荷によらず、モータの回転量が目標回転量となったときにモータを停止させることがより容易となる。
【００１３】
また、他の実施形態によれば、回胴遊技機が提供される。この回胴遊技機は、遊技機本体と、遊技機本体内に回転可能に配置され、かつ、円周方向に沿って複数の図柄が表示された回転リールと、回転リールを駆動するモータと、モータを駆動するモータ駆動回路と、モータが所定角度だけ回転する度に検知信号を出力する回転角センサと、モータを制御するモータ制御装置と、回胴遊技機を制御する制御装置とを有する。
そして制御装置は、遊技の状態に応じて、モータが停止するときにモータに対するブレーキを掛け始めるブレーキ開始タイミング及びそのブレーキの駆動力を指定する停止制御信号を前記モータ制御装置へ出力し、モータ制御装置は、停止制御信号を制御装置から受信する通信部と、停止制御信号と、検知信号とに従ってブレーキ開始タイミングを決定するブレーキタイミング判定部と、ブレーキ開始タイミングになると、停止制御信号にて指定された駆動力を持ち、モータの回転を停止させる駆動信号を、モータ駆動回路に出力する駆動信号生成部とを有する。
【００１４】
係る構成を有することで、この回胴遊技機は、モータにより駆動される回転リールが停止する際の回転リールの停止動作を多様化できる。
【図面の簡単な説明】
【００１５】
【図１】本発明の一つの実施形態によるモータ制御装置の概略構成図である。
【図２】モータ駆動回路の回路図である。
【図３】モータ駆動回路の各スイッチに印加される駆動信号と直流モータの回転方向との関係を表すテーブルの一例を示す図である。
【図４】ブレーキ値テーブルの一例を示す図である。
【図５】（ａ）は、通常停止が適用される場合における、ブレーキ力とモータの回転速度の時間変化の一例を示す図である。（ｂ）は、演出停止が適用される場合における、ブレーキ力とモータの回転速度の時間変化の一例を示す図である。
【図６】モータを停止させるための停止制御処理の動作フローチャートである。
【図７】変形例による、演出停止が適用される場合における、ブレーキ力とモータの回転速度の時間変化の一例を示す図である。
【図８】実施形態または変形例によるモータ制御装置を備えた回胴遊技機の概略斜視図である。
【図９】回胴遊技機の回路ブロック図である。
【図１０】リールユニットが有する一つの回転リールの概略斜視図である。
【発明を実施するための形態】
【００１６】
以下、本発明の一つの実施形態によるモータ制御装置を、図を参照しつつ説明する。このモータ制御装置は、例えば、回胴遊技機が有する回転リールを駆動するモータを制御するために用いられる。このモータ制御装置は、上位の制御装置から、回転中のモータを停止させるときに適用される停止制御の方式を指定するための停止制御信号を受信すると、その停止制御信号に含まれる停止設定値に応じて、モータを停止させる際にモータに印加する駆動力（以下、ブレーキ力と呼ぶことがある）、及び、モータにブレーキを掛け始めるタイミングを制御する。停止設定値は、モータの回転量が目標回転量に達した時点でモータの回転を停止させるようモータを制御（以下、このような制御を「通常停止」と呼ぶ）するための値と、モータの回転量が目標回転量に達する度に、モータの回転方向とは逆向きにモータを回転させる一定のブレーキ力を印加し続けるようモータを制御（以下、このような制御を演出停止と呼ぶ）するための値との間で選択可能となっている。停止設定値が演出停止を行うための値に設定されている場合、モータにより駆動される回転リールは、目標回転量に応じた目標停止位置の前後で振動しながら徐々に停止する。一方、停止設定値が通常停止を行うための値に設定されている場合、モータにより駆動される回転リールは、上記のような振動を行わずに、目標回転量に応じた目標停止位置にて静止する。したがって、このモータ制御装置は、停止設定値に応じて、モータが停止する際のモータの停止動作を多様化できる。
【００１７】
図１は、本発明の一つの実施形態によるモータ制御装置の概略構成図である。図１に示されるように、モータ制御装置１は、通信インターフェース回路１０と、メモリ１１と、駆動制御回路１２と、回転速度算出回路１３と、駆動信号生成回路１４と、ブレーキタイミング判定回路１５とを有する。
モータ制御装置１が有するこれらの各部は、それぞれ、別個の回路として回路基板（図示せず）上に実装されてもよく、あるいは、これらの各部が集積された集積回路として回路基板上に実装されてもよい。
【００１８】
モータ制御装置１は、上位の制御装置から受信した、速度設定信号、駆動信号及び停止制御信号に従って、モータ２を駆動するモータ駆動回路３を制御する。本実施形態では、モータ制御装置１は、モータ２に対する電流の供給のオン／オフを切り替える駆動信号を、パルス幅変調(PWM)方式により生成する。そしてモータ制御装置１は、生成した駆動信号を、モータ駆動回路３へ出力することで、モータ２の回転を制御する。その際、モータ制御装置１は、駆動信号のデューティ比を、速度設定信号にて指定された回転速度に対応するデューティ比に設定することで、モータ２をその指定された回転速度で回転させる。そしてモータ制御装置１は、モータ２の回転量を調べるためのロータリーエンコーダ４から、モータ２の回転軸（図示せず）が所定のサンプリング角度だけ回転する度に、その角度回転したことを示す検知信号を受信し、検知信号の受信回数及び停止制御信号に含まれる停止設定値に応じてモータ２にブレーキを掛け始めるタイミングを制御する。さらに、モータ制御装置１は、停止制御信号に含まれる停止設定値に従って、モータ２を停止させる際のブレーキ力を制御する。
【００１９】
本実施形態では、モータ２は、直流モータとすることができる。
【００２０】
図２は、モータ駆動回路３の回路図である。モータ駆動回路３は、４個のスイッチTR1〜TR4を有する。なお、各スイッチは、例えば、トランジスタまたは電界効果トランジスタとすることができる。このうち、二つのスイッチTR1及びTR3が、電源とグラウンドとの間に直列に接続される。同様に、二つのスイッチTR2及びTR4が、電源とグラウンドとの間に直列に接続される。そしてモータ２の正極側端子は、スイッチTR1とTR3の間に接続され、一方、モータ２の負極側端子は、スイッチTR2とTR4の間に接続される。そして各スイッチTR1〜TR4のスイッチ端子（例えば、スイッチTR1〜TR4がトランジスタであれば、ベース端子に相当し、スイッチTR1〜TR4が電界効果トランジスタであれば、ゲート端子に相当）は、それぞれ、駆動信号生成回路１４に接続される。そして駆動信号生成回路１４からの駆動信号は、各スイッチTR1〜TR4のスイッチ端子に入力される。
【００２１】
図３は、各スイッチに印加される駆動信号とモータ２の回転方向との関係を表すテーブルの一例を示す図である。
テーブル３００に示されるように、モータ２を正転させる場合、スイッチTR1のスイッチ端子とスイッチTR4のスイッチ端子とに、PWM方式に従って設定された、モータ２の回転速度に応じたパルス幅を持つ、周期的なパルスを含む駆動信号が印加される。一方、スイッチTR2のスイッチ端子及びスイッチTR3のスイッチ端子には駆動信号が印加されない。これにより、モータ２には、スイッチTR1とスイッチTR4とにパルスが印加されている間のみ、正極側端子に電源電圧が印加されるので、モータ２は、そのパルス幅に応じた速度で正転する。
なお、モータ２を正転させる場合、スイッチTR1とTR4のうちの何れか一方に駆動信号を印加し、他方を常時オンとしてもよい。
【００２２】
一方、モータ２を逆転させる場合、スイッチTR2のスイッチ端子とスイッチTR3のスイッチ端子とに、PWM方式に従って設定された、モータ２の回転速度に応じた周期的なパルスを持つ駆動信号が印加される。一方、スイッチTR1のスイッチ端子及びスイッチTR4のスイッチ端子には駆動信号が印加されない。これにより、モータ２には、スイッチTR2とスイッチTR3とにパルスが印加されている間のみ、負極側端子に電源電圧が印加されるので、モータ２は、そのパルス幅に応じた速度で逆転する。
なお、モータ２を逆転させる場合、スイッチTR2とTR3のうちの何れか一方に駆動信号を印加し、他方を常時オンとしてもよい。
【００２３】
本実施形態では、モータ２が正転しているときにモータ２にブレーキをかける場合には、駆動信号生成回路１４は、モータ２を逆転させる駆動信号をモータ駆動回路３へ出力する。逆に、モータ２が逆転しているときにモータ２にブレーキをかける場合には、駆動信号生成回路１４は、モータ２を正転させる駆動信号をモータ駆動回路３へ出力する。
【００２４】
また、モータ２の静止状態を維持する場合、スイッチTR3のスイッチ端子とスイッチTR4のスイッチ端子とがオンにされ、スイッチTR1のスイッチ端子とスイッチTR2のスイッチ端子とがオフにされる。
【００２５】
さらに、モータ２を駆動しない場合には、各スイッチのスイッチ端子はオフにされる。
【００２６】
ロータリーエンコーダ４は、回転角センサの一例であり、例えば、光学式のロータリーエンコーダとすることができる。そしてロータリーエンコーダ４は、例えば、モータ２の回転軸に取り付けられた、その回転軸を中心とする円周方向に沿って所定のサンプリング角度ごとに設けられる複数のスリットを有する円盤と、その円盤を挟んで対向するように配置された光源と受光素子とを有する。そして光源と受光素子との間に何れかのスリットが位置する度に、光源からの光が受光素子に達することで、ロータリーエンコーダ４は、パルス状の検知信号を出力する。これにより、ロータリーエンコーダ４は、モータ２が所定のサンプリング角度だけ回転する度に、検知信号をモータ制御装置１へ出力する。例えば、モータ２の回転軸を中心とする円周方向に沿って、円盤に５０個のスリットが設けられることで、ロータリーエンコーダ４は、モータ２の回転軸が１回転する間に５０個の検知信号を出力する。
【００２７】
以下、モータ制御装置１の各部について説明する。
【００２８】
通信インターフェース回路１０は、通信部の一例である。そして通信インターフェース回路１０は、例えば、モータ制御装置１を上位の制御装置と接続する。上位の制御装置は、例えば、モータ制御装置１が実装された回胴遊技機本体の制御部である。そして通信インターフェース回路１０は、上位の制御装置から、シリアル伝送される複数のビットを持つ速度設定信号を、モータ２が駆動する回転リールの回転速度が変更される度に受信する。例えば、速度設定信号が２ビットを有するとする。この場合、速度設定信号のビット値‘00’に対して回転速度40[rpm]が設定される。同様に、速度設定値のビット値‘01’、‘10’、‘11’のそれぞれに対して、回転速度80[rpm]、240[rpm]、333[rpm]が設定される。
【００２９】
さらに、通信インターフェース回路１０は、回転リールが回転駆動されている間、上位の制御装置から、回転リールを図柄一つ分の回転量だけ回転させる度に、回転リールの回転を継続することを表す駆動制御信号を受信する。なお、駆動制御信号は、例えば、矩形の単パルス信号とすることができる。
【００３０】
さらにまた、通信インターフェース回路１０は、上位の制御装置から、シリアル伝送される複数のビットを持つ停止制御信号を、回転リールの停止制御の方式が変更される度に受信する。
【００３１】
通信インターフェース回路１０は、速度設定信号を受信する度に、受信した速度設定信号を駆動制御回路１２へ渡す。また通信インターフェース回路１０は、駆動制御信号を受信する度に、駆動制御信号を受信したことを駆動制御回路１２へ通知する。なお、回転リールが停止される場合には、上位の制御装置は、駆動制御信号をモータ制御装置１へ送信しないので、通信インターフェース回路１０から駆動制御回路１２にも、駆動制御信号の受信が通知されない。さらに、通信インターフェース回路１０は、停止制御信号を受信する度に、その停止制御信号に含まれる停止設定値を、駆動信号生成回路１４及びブレーキタイミング判定回路１５へ通知する。
【００３２】
メモリ１１は、例えば、不揮発性の半導体メモリ回路を有する。そしてメモリ１１は、回転リールの回転制御に必要な情報を記憶する。本実施形態では、メモリ１１は、速度設定信号と回転リールの回転速度との関係を表す速度テーブルと、回転速度ごとの、何れかの図柄が所定の停止位置にて停止するよう、回転中の回転リールが静止するまで、すなわち、回転中のモータ２が停止するまでの検知信号数（以下、停止所要数と呼ぶ）とを記憶する。さらに、メモリ１１は、回転速度ごとのデューティ比を表すデューティ比テーブルと、通常停止の際に用いられる、回転速度とブレーキ力に応じたデューティ比との関係を表す速度ブレーキ値テーブルと、演出停止の際に用いられる、停止設定値とブレーキ力に応じたデューティ比との関係を表すブレーキ値テーブルを記憶する。
【００３３】
図４は、ブレーキ値テーブルの一例を示す図である。ブレーキ値テーブル４００の左側の列には、停止制御信号に含まれる停止設定値が示される。なお、この例では、停止設定値は、２ビットで表される。一方、ブレーキ値テーブル４００の右側の列には、停止制御信号に含まれる停止設定値に対応する、ブレーキ力に応じたデューティ比が示される。図４に示される例では、ビット値が‘00’である場合、すなわち、通常停止の場合、ブレーキ力に相当するデューティ比は、モータ２の回転速度に依存した値であることを表す、予め設定された値（図４では、AA）に設定される。一方、ビット値が‘01’、‘10’、‘11’である場合、すなわち、演出停止の場合、ブレーキ力に相当するデューティ比は、それぞれ、20[%]、50[%]、100[%]に設定される。
【００３４】
駆動制御回路１２は、駆動制御部の一例であり、速度設定信号で指定された回転速度に従って、モータ２を駆動信号のデューティ比を設定する。そこで、駆動制御回路１２は、速度設定信号を受信する度に、メモリ１１から速度テーブルを読み込んで、その速度テーブルを参照することで、速度設定信号にて指定された回転速度を求める。さらに、駆動制御回路１２は、設定された回転速度に応じて、駆動信号のパルスのデューティ比を設定する。駆動制御回路１２は、デューティ比テーブルを参照して、設定された回転速度に対応するデューティ比を決定すればよい。
【００３５】
駆動制御回路１２は、駆動制御信号を受信したことが通知される度に、デューティ比を、駆動信号生成回路１４へ出力する。
【００３６】
さらに、駆動制御回路１２は、駆動制御信号を受信したことが通知される度に、１図柄当たりの回転量に相当する、ロータリーエンコーダ４からの検知信号の数（以下、図柄単位検知信号数と呼ぶ）をブレーキタイミング判定回路１５へ出力する。例えば、モータ２と回転リールのギア比が1:10であり、ロータリーエンコーダ４が、モータ２が一周する間に50個の検知信号を出力するとすれば、回転リールが一周する間に500個の検知信号が出力される。したがって、回転リールに20個の図柄が設けられる場合、１図柄当たり25個の検知信号が出力される。そのため、この例では、駆動制御回路１２は、駆動制御信号を受信したことが通知される度に、図柄単位検知信号数として、‘25’をブレーキタイミング判定回路１５へ出力する。なお、回転リールが停止される場合には、駆動制御信号を受信したことが通知されないので、駆動制御回路１２は、図柄単位検知信号数を出力しない。
さらにまた、駆動制御回路１２は、回転リールの回転速度が変更される度に、回転リールの回転速度をブレーキタイミング判定回路１５へ通知する。
【００３７】
回転速度算出回路１３は、ロータリーエンコーダ４から受信した検知信号に基づいて、モータ２の現在の回転速度を算出する。そのために、回転速度算出回路１３は、例えば、タイマとカウンタとを有する。そして回転速度算出回路１３は、タイマにより計時された一定期間中に受信した検知信号の数をカウンタによりカウントし、その検知信号の数に、ロータリーエンコーダ４のサンプリング角度を乗じて得られる回転量をその一定期間で除することで回転速度を算出する。なお、回転速度算出回路１３は、一定期間内に受信した検知信号の数が１個以下である場合、モータ２の回転速度を0としてもよい。
【００３８】
回転速度算出回路１３は、所定の周期ごと、例えば、駆動信号生成回路１４からモータ駆動回路３へ出力されるパルス信号の周期ごとに、算出したモータ２の回転速度を駆動信号生成回路１４へ出力する。
【００３９】
駆動信号生成回路１４は、駆動信号生成部の一例であり、例えば、出力するパルスの幅（すなわち、デューティ比）を変更可能な可変パルス生成回路と、可変パルス生成回路により生成された、駆動信号である周期的なパルス信号を、モータ駆動回路３の何れのスイッチへ出力するかを切り替えるスイッチ回路とを有する。そして駆動信号生成回路１４は、駆動制御回路１２からデューティ比が通知される度に、モータ２を駆動するための駆動信号であるパルス信号をPWM方式に従って生成し、所定の出力周期ごとに、そのパルス信号を、モータ駆動回路３へ出力することで、モータ２の回転を制御する。その際、駆動信号生成回路１４は、通知されたデューティ比にしたがって、パルス信号のパルス幅を設定すればよい。一方、駆動信号生成回路１４は、ブレーキタイミング判定回路１５からブレーキ開始タイミングになったことを通知されると、モータ２にブレーキを掛けて停止させるための駆動信号を、モータ駆動回路３へ出力する。なお、本実施形態では、上記のように、モータ２にブレーキを掛ける場合、駆動信号生成回路１４は、モータ２が回転している向きとは逆向きに回転させる駆動信号をモータ駆動回路３へ出力すればよい。
【００４０】
駆動信号生成回路１４は、モータ２にブレーキを掛ける場合、上位制御装置から受信した停止制御信号に含まれる停止設定値と、メモリ１１から読み込んだブレーキ値テーブルとを参照して、モータ２に印加するブレーキ力を設定する。
【００４１】
例えば、停止制御信号に含まれる停止設定値が‘00’である場合、すなわち、通常停止が指示された場合、駆動信号生成回路１４は、ブレーキ開始タイミングから、停止所要数だけモータ２が回転した時点でモータ２が停止するよう、ブレーキ力を制御する。この場合、ブレーキ力に相当する駆動信号のデューティ比は、モータ２の回転速度に応じて設定される。すなわち、駆動信号生成回路１４は、メモリ１１に記憶されている速度ブレーキ値テーブルを参照して、回転速度算出回路１３から受信したモータ２の回転速度に対応するデューティ比を特定すればよい。なお、速度ブレーキ値テーブルでは、例えば、モータ２の回転速度が高いほど、高いデューティ比、すなわち、高いブレーキ力が設定される。そして駆動信号生成回路１４は、モータ２が停止するまで、特定したデューティ比の駆動信号をモータ駆動回路３へ出力する。
【００４２】
一方、停止制御信号に含まれる停止設定値が‘00’以外である場合、すなわち、演出停止が指示された場合、駆動信号生成回路１４は、駆動信号のデューティ比が、停止設定値で指定されたデューティ比となるように、ブレーキ力を制御する。そして駆動信号生成回路１４は、モータ２が停止するまで、モータ２の回転量が目標回転量に達したこと、すなわち、ブレーキ開始タイミングになったことがブレーキタイミング判定回路１５から通知される度に、モータ２の回転方向とは逆向きにモータ２を回転させる駆動信号をモータ駆動回路３へ出力する。
【００４３】
なお、駆動信号生成回路１４は、モータ２の回転量が目標回転量となり、かつ、回転速度算出回路１３により算出されたモータ２の回転速度が0になると、モータ２に対するブレーキを停止させ、モータ２の静止状態を維持させる駆動信号をモータ駆動回路３へ出力してもよい。
【００４４】
ブレーキタイミング判定回路１５は、ブレーキタイミング判定部の一例であり、停止設定値に応じてモータ２にブレーキを掛け始めるタイミング（すなわち、ブレーキ開始タイミング）を決定する。
【００４５】
本実施形態では、ブレーキタイミング判定回路１５は、停止設定値が通常停止を示す値である場合と、停止設定値が演出停止を示す値である場合とで、ブレーキ開始タイミングを異ならせる。
【００４６】
停止設定値が通常停止を示す値である場合、ブレーキタイミング判定回路１５は、所定の目標回転量とモータ２の回転量との差（すなわち、残回転量）が検知所要数以下になるとブレーキ開始タイミングになったと判定する。本実施形態では、ブレーキタイミング判定回路１５は、駆動制御回路１２から受け取った図柄単位検知信号数の累積値（以下、単に累積値と呼ぶ）と、受信した検知信号の数とに基づいてブレーキ開始タイミングを決定する。なお、モータ２が、回転リールの１図柄分回転しても上位制御装置から駆動制御信号を受信しなかったとき、すなわち、モータ２の回転の停止が指示されたときの累積値が、モータ２を停止させる目標回転量に相当し、それ以降に受信した検知信号の数がモータ２の回転量に相当する。したがって、ロータリーエンコーダ４から検知信号を受信する度に更新される累積値は、目標回転量までの残回転量に相当する。例えば、ブレーキタイミング判定回路１５は、回転リールが回転を開始する前の時点で、累積値を0に設定する。その後、ブレーキタイミング判定回路１５は、駆動制御回路１２から回転リールの回転速度を通知されると、その回転速度に対応する停止所要数をメモリ１１から読み込む。またブレーキタイミング判定回路１５は、駆動制御回路１２から図柄単位検知信号数を受信する度に、累積値に受信した図柄単位検知信号数を加算する。一方、ブレーキタイミング判定回路１５は、ロータリーエンコーダ４から検知信号を受信する度に、累積値から1を減じる。そしてブレーキタイミング判定回路１５は、累積値がメモリ１１から読み込んだ停止所要数以下となったときをブレーキ開始タイミングとする。
【００４７】
一方、停止設定値が演出停止を示す値である場合、ブレーキタイミング判定回路１５は、所定の目標回転量とモータ２の回転量とが一致すると、ブレーキ開始タイミングになったと判定する。本実施形態では、ブレーキタイミング判定回路１５は、モータ２にブレーキが掛け始められる前と同じ方向にモータ２が回転している場合、ロータリーエンコーダ４から検知信号を受信する度に、累積値から1を減じる。一方、ブレーキタイミング判定回路１５は、モータ２にブレーキが掛け始められる前と同じ方向にモータ２が回転している場合、ロータリーエンコーダ４から検知信号を受信する度に、累積値に1を加算する。そしてブレーキタイミング判定回路１５は、累積値が0になる度に、モータ２の回転量が目標回転量に達したこと、すなわち、ブレーキ開始タイミングになったことを駆動信号生成回路１４へ通知する。
【００４８】
図５（ａ）は、通常停止が適用される場合における、ブレーキ力とモータ２の回転速度の時間変化の一例を示す図である。図５（ｂ）は、演出停止が適用される場合における、ブレーキ力とモータ２の回転速度の時間変化の一例を示す図である。図５（ａ）及び図５（ｂ）において、横軸は経過時間を表し、左側の縦軸は、モータ２の回転速度を表し、右側の縦軸は、駆動信号生成回路１４からモータ駆動回路３へ出力される駆動信号のデューティ比を表す。なお、モータ２が正転している場合、回転速度は正で表され、一方、モータ２が逆転している場合、回転速度は負で表される。また、モータ２を正転させる駆動信号が出力される場合のデューティ比は正で表され、一方、モータ２を逆転させる駆動信号が出力される場合のデューティ比は負で表される。
【００４９】
図５（ａ）において、波形５０１は、モータ２の回転速度の時間変化を表し、波形５０２は、駆動信号生成回路１４からモータ駆動回路３へ出力される駆動信号のデューティ比（すなわち、ブレーキ力）の時間変化を表す。この例では、時刻t1において、累計値が停止所要数以下となり、モータ２にブレーキが掛け始められる。そのため、時刻t1以降、モータ２の回転方向（この例では、正転方向）とは逆向きにモータ２を回転させるブレーキ力がモータ２に印加される。そして時刻t1以降、モータ２の回転速度が低下し、時刻t2にて、モータ２の回転速度は0となる。すなわち、モータ２は、目標回転量を超えて回転することはないので、モータ２により駆動される回転リールも、目標停止位置を超えずに停止する。
【００５０】
図５（ｂ）において、波形５１１は、モータ２の回転速度の時間変化を表し、波形５１２は、駆動信号生成回路１４からモータ駆動回路３へ出力される駆動信号のデューティ比の時間変化を表す。この例では、時刻t1に達するまで、モータ２には、正転方向に回転させる駆動信号が印加される。そして時刻t1にて、モータ２の回転量が目標回転量に達するので、時刻t1を過ぎると、モータ２の回転方向（この例では、正転方向）とは逆向きにモータ２を回転させる、停止設定値により指定された一定のブレーキ力（この例では、デューティ比20%に相当）を持つ駆動信号がモータ駆動回路３へ出力される。そして時刻t2にて、モータ２の回転速度が0となり、時刻t2以降、モータ２は逆向きに回転を始める（すなわち、モータ２は逆転方向に回転し始める）。この時点では、モータ２の回転量は、目標回転量を超えているので、モータ２により駆動される回転リールも、目標停止位置よりも行き過ぎている。そして時刻t3にて、モータ２の回転量が再び目標回転量になると、今度は、モータ２を正転させる方向に、停止設定値により指定された一定のブレーキ力を持つ駆動信号がモータ駆動回路３へ出力される。そして時刻t4にて、モータ２の回転速度が再び0となり、時刻t4以降、モータ２は逆向きに回転を始める（すなわち、モータ２は正転方向に回転し始める）。この時点では、モータ２の回転量は、目標回転量に達していないので、モータ２により駆動される回転リールも、目標停止位置の手前に位置している。そして時刻t5にて、モータ２の回転量が目標回転量になると、モータ２を逆転させる方向に、停止設定値により指定された一定のブレーキ力を持つ駆動信号がモータ駆動回路３へ出力される。このように、モータ２の回転量が目標回転量となる度に、ブレーキを掛ける方向を反転させることで、モータ２は回転方向を入れ替えながら徐々に停止する。これに伴い、モータ２により駆動される回転リールも、目標停止位置の前後で行ったり来たりを繰り返しながら徐々に停止する。
【００５１】
図６は、モータ制御装置１による、モータ２を停止させるための停止制御処理の動作フローチャートである。この停止制御処理は、モータ制御装置１が上位制御装置から駆動制御信号を受信しなくなると、すなわち、モータ２の回転を停止させることが指示されると実行される。
【００５２】
駆動信号生成回路１４は、駆動制御回路１２から通知された、速度設定信号にて指定された回転速度に対応するデューティ比を持つ駆動信号を、モータ２を駆動するモータ駆動回路３へ出力する（ステップＳ１０１）。
【００５３】
ブレーキタイミング判定回路１５は、ロータリーエンコーダ４から検知信号を受信すると、目標回転量までの残回転量を表す、図柄単位検知信号数の累積値を1デクリメントする（ステップＳ１０２）。
【００５４】
また、ブレーキタイミング判定回路１５は、上位制御装置から受信し、通信インターフェース回路１０から受信した停止設定値が通常停止を示す値か否か判定する（ステップＳ１０３）。停止設定値が通常停止を示す値である場合（ステップＳ１０３−Ｙｅｓ）、ブレーキタイミング判定回路１５は、累積値が停止所要数以下か否か判定する（ステップＳ１０４）。累積値が停止所要数よりも大きければ（ステップＳ１０４−Ｎｏ）、モータ制御装置１は、ステップＳ１０１以降の処理を繰り返す。
【００５５】
一方、累積値が停止所要数以下であれば（ステップＳ１０４−Ｙｅｓ）、ブレーキタイミング判定回路１５は、駆動信号生成回路１４へブレーキ開始タイミングとなったことを通知する。また、駆動信号生成回路１４は、モータ２が停止するまで、メモリ１１に記憶されている速度ブレーキ値テーブルを参照して、回転速度算出回路１３から受信したモータ２の回転速度に対応するデューティ比を特定する。そして駆動信号生成回路１４は、そのデューティ比に相当するブレーキ力を持つ駆動信号を、モータ駆動回路３へ出力する（ステップＳ１０５）。駆動信号生成回路１４は、モータ２が停止すると、すなわち、累積値が0になると、モータ駆動回路３への駆動信号の出力を停止する。
【００５６】
ステップＳ１０３にて、停止設定値が演出停止を示す値である場合（ステップＳ１０３−Ｎｏ）、ブレーキタイミング判定回路１５は、累積値が0、すなわち、モータ２の回転量が目標回転量に達したか否か判定する（ステップＳ１０６）。累積値が0よりも大きければ（ステップＳ１０６−Ｎｏ）、モータ制御装置１は、ステップＳ１０１以降の処理を繰り返す。
【００５７】
一方、累積値が0であれば（ステップＳ１０６−Ｙｅｓ）、ブレーキタイミング判定回路１５は、駆動信号生成回路１４へブレーキ開始タイミングになったことを通知する。そして駆動信号生成回路１４は、停止設定値で指定されたデューティ比に相当するブレーキ力を持ち、かつ、それ以前の回転方向とは逆向きにモータ２を回転させる駆動信号を、累積値が0になるまで、すなわち、モータ２の回転量が目標回転量に達するまで、モータ駆動回路３へ出力する（ステップＳ１０７）。
【００５８】
その後、累積値が0、すなわち、モータ２の回転量が目標回転量に達すると、駆動信号生成回路１４は、回転速度算出回路１３により算出されたモータ２の回転速度が0になったか否か判定する（ステップＳ１０８）。モータ２の回転速度が0でなければ（ステップＳ１０８−Ｎｏ）、モータ制御装置１は、ステップＳ１０７以降の処理を繰り返す。一方、モータ２の回転速度が0であれば（ステップＳ１０８−Ｙｅｓ）、モータ２の回転量が目標回転量となったところでモータ２が停止している。そこで、駆動信号生成回路１４は、モータ駆動回路３への駆動信号の出力を停止する（ステップＳ１０９）。
【００５９】
ステップＳ１０５またはステップＳ１０９の後、モータ制御装置１は、停止制御処理を終了する。
【００６０】
以上に説明してきたように、このモータ制御装置は、上位制御装置から受信した停止制御信号に含まれる停止設定値に応じて、モータを停止させる際のブレーキの開始タイミング及びブレーキ力を制御する。そのため、モータが回転停止に至るまでのモータの挙動がその停止設定値に応じて変化する。したがって、このモータ制御装置は、モータが停止する際のモータの停止動作を多様化できる。
【００６１】
変形例によれば、駆動信号生成回路１４は、演出停止制御によりモータ２を停止させる場合、モータ２の回転量が目標回転量に所定回（例えば、1〜4回）達する度に、駆動信号のデューティ比を低下させてもよい。この場合、ブレーキタイミング判定回路１５は、カウンタを有し、累積値が0となる回数が所定回数の整数倍となる度、すなわち、モータ２の回転量が目標回転量に所定回達する度に、そのカウンタにより、モータ２の回転量が目標回転量に達した数（以下、単に到達回数と呼ぶ）を1インクリメントすればよい。そしてブレーキタイミング判定回路１５は、到達回数が1インクリメントされる度に、その到達回数を駆動信号生成回路１４へ通知する。
【００６２】
駆動信号生成回路１４は、到達回数が1インクリメントされる度に、モータ２にブレーキを掛ける駆動信号のデューティ比を低下させる。例えば、駆動信号生成回路１４は、停止設定値により指定されたデューティ比（指定デューティ比）から、その指定デューティ比に対して到達回数と所定の減衰係数を乗じた値を減じることで、モータ２にブレーキを掛ける駆動信号のデューティ比を求める。そして駆動信号生成回路１４は、そのデューティ比を持つ駆動信号を、モータ駆動回路３へ出力する。
【００６３】
図７は、この変形例による、演出停止が適用される場合における、ブレーキ力とモータ２の回転速度の時間変化の一例を示す図である。図７において、横軸は経過時間を表し、左側の縦軸は、モータ２の回転速度を表し、右側の縦軸は、駆動信号生成回路１４からモータ駆動回路３へ出力される駆動信号のデューティ比を表す。なお、モータ２が正転している場合、回転速度は正で表され、一方、モータ２が逆転している場合、回転速度は負で表される。また、モータ２を正転させる駆動信号が出力される場合のデューティ比は正で表され、一方、モータ２を逆転させる駆動信号が出力される場合のデューティ比は負で表される。
【００６４】
図７において、波形７０１は、モータ２の回転速度の時間変化を表し、波形７０２は、駆動信号生成回路１４からモータ駆動回路３へ出力される駆動信号のデューティ比（すなわち、ブレーキ力）の時間変化を表す。波形７０１及び波形７０２に示されるように、モータ２にブレーキが掛け始められる時刻t1以降において、モータ２の回転速度が極値となる度に、すなわち、モータ２の回転量が目標回転量に達する度に、徐々にデューティ比、すなわち、ブレーキ力が低下することが分かる。これにより、モータ２の回転量が目標回転量に達したときの回転速度が徐々に低下し、最終的にモータ２の回転量が目標回転量となる位置でモータ２は停止する。
【００６５】
この変形例によれば、モータ制御装置は、モータ２が駆動する回転リールによる負荷によらず、モータ２の回転量がその目標回転量となる位置にてモータ２を停止させることが容易となる。
【００６６】
なお、この変形例において、停止制御信号には、演出停止が適用される場合に、目標回転量への到達回数に応じて駆動信号のデューティ比を低下させるか、到達回数によらず、駆動信号のデューティ比を停止設定値により指定された値を維持するかを切り替えるためのフラグが含まれてもよい。この場合、駆動信号生成回路１４は、そのフラグを参照して、モータ２を演出停止制御に従って停止させる際に、駆動信号のデューティ比を到達回数に応じて低下させるか否かを切り替えればよい。これにより、モータ制御装置は、モータ２が停止する際のモータ２の停止動作をさらに多様化できる。
【００６７】
他の変形例によれば、モータ２の回転を停止させる場合、上位制御装置は、目標回転量をモータ制御装置１へ通知してもよい。この場合、モータ制御装置１の通信インターフェース回路１０は、その目標回転量をブレーキタイミング判定回路１５へわたす。そしてブレーキタイミング判定回路１５は、モータ２が直前に静止していた時からの検知信号の受信数をモータ２の回転量としてカウントし、その検知信号の受信数と通知された目標回転量とに基づいて、上記の実施形態と同様にブレーキ開始タイミングを判定してもよい。
【００６８】
また、上記の実施形態または変形例によるモータ制御装置は、回胴遊技機の回転リール以外の可動部材を駆動するために用いられてもよい。例えば、モータ制御装置は、弾球遊技機の演出用の可動部材を駆動するために用いられてもよい。
【００６９】
図８は、上記の実施形態または変形例によるモータ制御装置を備えた回胴遊技機１００の概略斜視図である。また図９は、回胴遊技機１００の回路ブロック図である。さらに、図１０は、リールユニット１２０が有する一つの回転リールの概略斜視図である。図８に示すように、回胴遊技機１００は、遊技機本体である本体筐体１１０と、リールユニット１２０と、スタートレバー１３０と、ストップボタン１４０ａ〜１４０ｃとを有する。
【００７０】
また回胴遊技機１００は、本体筐体１１０内に、回胴遊技機１００の各部を制御する制御回路１５０と、リールユニット１２０が有する回転リールを駆動するための３個のモータ１５１−１〜１５１−３と、各モータを駆動する３個のモータ駆動回路１５２−１〜１５２−３と、３個のモータ制御装置１５３−１〜１５３−３とを有する。なお、モータ制御装置１５３−１〜１５３−３は、上記の実施形態または変形例によるモータ制御装置とすることができる。また、モータ駆動回路１５２−１〜１５２−３は、上記の実施形態または変形例によるモータ駆動回路とすることができる。さらに、回胴遊技機１００は、回胴遊技機１００の各部に電力を供給する電源回路（図示せず）及び制御回路１５０からの制御信号に応じてメダルを一時貯留し、かつメダルを排出するためのメダル貯留及び排出機構（図示せず）を有する。
【００７１】
本体筐体１１０の前面の中央上部には開口１１１が形成されており、その開口１１１を通じて、リールユニット１２０の一部が視認可能になっている。また開口１１１の下側の枠１１２の上面には、メダルを投入するためのメダル投入口１１３が形成されている。
【００７２】
リールユニット１２０は、３個の回転リール１２１−１〜１２１−３を有する。回転リール１２１−１〜１２１−３は、それぞれ、制御回路１５０からの駆動制御信号に応じて、本体筐体１１０の前面に対して略平行かつ略水平な回転軸（図示せず）を回転中心として、それぞれ、別個に回転可能となっている。さらに、回転リール１２１−１〜１２１−３のそれぞれの回転軸は、ギア（図示せず）を介してモータ１５１−１〜１５１−３の回転軸と係合される。そしてモータ１５１−１〜１５１−３が回転することで、回転リール１２１−１〜１２１−３も回転する。さらに、モータ１５１−１〜１５１−３のそれぞれの回転軸には、ロータリーエンコーダ（図示せず）が取り付けられ、ロータリーエンコーダは、モータ１５１−１〜１５１−３が所定のサンプリング角度だけ回転する度に、検知信号をモータ制御装置１５３−１〜１５３−３へ出力する。
また、回転リール１２１−１〜１２１−３の表面は、それぞれ、回転方向、すなわち、円周方向に沿って複数の略同一幅を持つ領域に区切られ、領域ごとに様々な図柄が描かれており、それら領域のうちの一部が開口１１１を介して遊技者に視認可能となっている。
【００７３】
スタートレバー１３０は、本体筐体１１０の枠１１２の前面に向かって左側に設けられている。また、枠１１２の前面略中央には、ストップボタン１４０ａ〜１４０ｃが設けられている。ストップボタン１４０ａ〜１４０ｃは、それぞれ、回転リール１２１−１〜１２１−３に対応する。
【００７４】
本体筐体１１０の前面の下部には、メダルを排出するためのメダル排出口１１４が形成されている。そしてメダル排出口１１４の下方には、排出されたメダルが落下することを防止するためのメダル受け皿１１５が取り付けられている。
【００７５】
メダルがメダル投入口１１３に投入された後に、スタートレバー１３０が操作されると、スタートレバー１３０が操作されたことを示す信号が制御回路１５０へ伝達される。そして制御回路１５０は、回転リール１２１−１〜１２１−３の回転を開始させる。すなわち、制御回路１５０は、モータ制御装置１５３−１〜１５３−３へ、速度設定信号を出力するとともに、回転リール１２１−１〜１２１−３がそれぞれ１図柄分だけ回転する度に、駆動制御信号を出力する。なお、制御回路１５０は、遊技の状態に応じて、回転リール１２１−１〜１２１−３の回転速度を変更してもよい。この場合、制御回路１５０は、回転リール１２１−１〜１２１−３の回転速度を変更する度に、変更後の回転速度を指定する速度設定信号をモータ制御装置１５３−１〜１５３−３へ出力すればよい。なお、制御回路１５０は、回転リール１２１−１〜１２１−３のそれぞれごとに、異なる回転速度を設定してもよい。また、制御回路１５０は、回転リール１２１−１〜１２１−３のそれぞれごとに、回転速度を変更するタイミングを互いに異ならせてもよい。
【００７６】
さらに、制御回路１５０は、遊技の状態に応じて、停止設定値を変更し、停止設定値が変更される度に、その変更後の停止設定値を含む停止制御信号をモータ制御装置１５３−１〜１５３−３へ出力する。なお、制御回路１５０は、遊技の状態に応じて、モータ制御装置１５３−１〜１５３−３ごとに、停止設定値を異ならせてもよい。これにより、回転リール１２１−１〜１２１−３のそれぞれは、停止が指示された場合に互いに異なる挙動を行いながら停止する。
【００７７】
その後、本体筐体１１０の枠１１２の前面略中央に設けられたストップボタン１４０ａ〜１４０ｃの何れかが押下されると、制御回路１５０は、その押下されたボタンから押下されたことを示す信号を受信し、その押下されたボタンに対応する回転リールの回転を停止させる。あるいは、制御回路１５０は、回転リール１２１−１〜１２１−３のうち、回転を開始してから所定期間が経過するまでに、対応するストップボタンが押下されなかった回転リールを、その所定期間経過後に停止させる。回転リールを停止させる場合、制御回路１５０は、駆動制御信号の出力を停止すればよい。そしてモータ制御装置１５３−１〜１５３−３のそれぞれは、上記の停止制御処理を実行すればよい。
そして全ての回転リールが停止した時点で、同一の図柄が全ての回転リールにわたって一列に並んでいると、制御回路１５０は、その図柄に応じた所定枚数のメダルを、メダル排出口１１４を通じて排出する。
【００７８】
このように、当業者は、本発明の範囲内で、実施される形態に合わせて様々な変更を行うことができる。
【符号の説明】
【００７９】
１    モータ制御装置
２    モータ
３    モータ駆動回路
４    ロータリーエンコーダ
１０    通信インターフェース回路
１１    メモリ
１２    駆動制御回路
１３    回転速度算出回路
１４    駆動信号生成回路
１５    ブレーキタイミング判定回路
１００    回胴遊技機
１１０    本体筐体
１２０    リールユニット
１２１−１〜１２１−３    回転リール
１３０    スタートレバー
１４０ａ〜１４０ｃ    ストップボタン
１５０    制御回路
１５１−１〜１５１−３    モータ
１５２−１〜１５２−３    モータ駆動回路
１５３−１〜１５３−３    モータ制御装置
【図１】
2020182537.tif 000003
【図２】
2020182537.tif 000004
【図３】
2020182537.tif 000005
【図４】
2020182537.tif 000006
【図５】
2020182537.tif 000007
【図６】
2020182537.tif 000008
【図７】
2020182537.tif 000009
【図８】
2020182537.tif 000010
【図９】
2020182537.tif 000011
【図１０】
2020182537.tif 000012